(57)【要約】【課題】一個の受光センサで足りるようになしてコストを削減し、且つ放射された赤外光を死角なく受光させるようにする。【解決手段】受光センサとして、環状又は環状の一部を切除したコード状本体１５の外面側に全周にわたり凹部１６を設けて光誘導体１７とし、該凹部１６内に全体にわたり光反射材１９を設けると共に該光誘導体１７の所定位置に該光誘導体１７内を伝播してきた光を受けるための一個の受光部１８を接続してなる受光センサ１４を用いる。該受光センサ１４を、電動椅子１における基台２の上部に配設する。【選択図】図１
0003131230.tif 000002
【実用新案登録請求の範囲】
【請求項１】
コード状本体の外面側に凹部を設けて光誘導体とし、該凹部内に全体にわたって光反射材を設けると共に該光誘導体の所定位置に該光誘導体内を伝播してきた光を受けるための一個の受光部を接続してなる受光センサ。
【請求項２】
前記光誘導体を環状となした請求項１記載の受光センサ。
【請求項３】
環状の前記光誘導体の一部を切除してなる請求項１記載の受光センサ。
【請求項４】
光誘導体の凹部が断面コ字状をなしていることを特徴とする請求項１、２又は３記載の受光センサ。
【請求項５】
光誘導体の凹部の隅部に彎曲を持たせたことを特徴とする請求項１、２、３又は４記載の受光センサ。
【請求項６】
座席昇降機構、座席水平回転機構又は背凭れ後傾機構等からなる椅子駆動機構を備え、該椅子駆動機構の動作を赤外線式等のリモートコントローラによって操作するようになした電動椅子において、受光センサとして、コード状本体の外面側に凹部を設けて光誘導体とし、該凹部内に全体にわたって光反射材を設けると共に該光誘導体の所定位置に該光誘導体内を伝播してきた光を受けるための一個の受光部を接続してなる受光センサを用い、該受光センサを、電動椅子における基台の上部に配設したことを特徴とする電動椅子。
【請求項７】
前記光誘導体を環状となした受光センサを使用することを特徴とする請求項６記載の電動椅子。
【請求項８】
環状の前記光誘導体の一部を切除してなる受光センサを使用することを特徴とする請求項６記載の電動椅子。
【請求項９】
受光センサとして、光誘導体の凹部が断面コ字状をなした受光センサを使用することを特徴とする請求項６、７、又は８記載の電動椅子。
【請求項１０】
光誘導体の凹部の隅部に彎曲を持たせたことを特徴とする請求項６、７、８又は９記載の電動椅子。
【考案の詳細な説明】
【技術分野】
【０００１】
本考案は、耳鼻科医院、歯科医院等における医療用、エステティックサロン等の美容サロン又は理容店等において使用される電動椅子に関し、更に詳細には座席昇降機構、座席水平回転機構又は背凭れ後傾機構等からなる椅子駆動機構の動作を赤外線式等のリモートコントローラによって操作するようになした受光センサ及びこれを使用した電動椅子に係わる。
【背景技術】
【０００２】
耳鼻科医院、歯科医院等において使用される医療用電動椅子、エステティックサロン等の美容サロン又は理容店等において使用される電動椅子は、座席昇降機構と座席水平回転機構と背凭れ後傾機構と、或いはこれらにヘッドレストの変位機構等を加えてなる椅子駆動機構が備えられており、そして従来の斯かる電動椅子にあっては、椅子駆動機構の動作を赤外線式等のリモートコントローラによって操作するようになしたコードレスのものが存在する。
【０００３】
しかし、従来の斯かる赤外線式等のリモートコントローラによって操作するものにあっては、次の如き問題点がある。
第一の問題点は、コストが高くつくという点である。即ち、受光センサの受光部による受光範囲は狭いことから、その発信位置によってはリモートコントローラの赤外線発光部から放射された赤外光を受光することができないことが起こり得る。そして、このため電動椅子を取り巻くように、その基台の上部に所定の間隔で多数の受光センサを配置して対応していた。そしてこのように多数の受光センサを用いることにより、コストが高くつくことになる。
【０００４】
第二の問題点は、多数の受光センサが並置されていることから、リモートコントローラの赤外線発光部から放射された赤外光を同時に複数の受光センサが受光することがあり、この場合には複数の受光センサが同時に椅子駆動機構の制御部に赤外光を電気信号に変えて送ることになる。そしてこのときには相互の電気信号は打ち消し合って極端に衰弱する。また、各受光センサは夫々向きが異なっていることから、赤外光を同時に複数の受光センサが受光するときには、いずれの受光センサもその受光部の中心が赤外光の中心から外れており、したがって入射する赤外光は光量が少なくなる。
【考案の開示】
【考案が解決しようとする課題】
【０００５】
本考案は上記の点に鑑みなされたものであって、環状をなすコード状本体の外面側に凹部を設けて光誘導体とし、該凹部内に全体にわたり光反射材を設けると共に該光誘導体の所定位置に該光誘導体の凹部内を伝播してきた光を受けるための一個の受光部を接続してなる受光センサ及びこれを電動椅子を取り巻くように基台の上部に配設することにより、上記問題点を悉く解消することができるようになした電動椅子を提供せんとするものである。
【課題を解決するための手段】
【０００６】
而して、本考案の要旨とするところは、コード状本体の外面側に凹部を設けて光誘導体とし、該凹部内に全体にわたり光反射材を設けると共に該光誘導体の所定位置に該光誘導体内を伝播してきた光を受けるための一個の受光部を接続してなる受光センサにあり、更に座席昇降機構、座席水平回転機構又は背凭れ後傾機構等からなる椅子駆動機構を備え、該椅子駆動機構の動作を赤外線式等のリモートコントローラによって操作するようになした電動椅子において、受光センサとして、コード状本体の外面側に凹部を設けて光誘導体とし、該凹部内に全体にわたり光反射材を設けると共に該光誘導体の所定位置に該光誘導体内を伝播してきた光を受けるための一個の受光部を接続してなる受光センサを用い、該受光センサを、電動椅子における基台の上部に配設した電動椅子をもその特徴とするものである。
【０００７】
また、上記構成において、光誘導体を環状となし、又は該環状の光誘導体の一部を切除し、又は該光誘導体の凹部を断面コ字状となし、又は該凹部の隅部に湾曲を持たせるようになしてもよい。こうすることにより、凹部内に入射した赤外光は凹部内の光反射材により、より多く乱反射して直角方向、即ち光誘導体の凹部内を水平方向に走るように進行することとなり、効率よく赤外光を受光部に送ることができるものである。
【考案の効果】
【０００８】
本考案は、上記の如き構成であり、受光センサとして、環状又は環状の一部を切除したコード状本体の外面側に凹部を設けた光誘導体を電動椅子を取り巻くように配し、該光誘導体の所定位置に一個の受光部を接続してなる受光センサを用いるものであるから、従来の如く多数の受光センサを用いる必要がないものである。したがって、コストを大幅にダウンさせることができるものである。また、従来の如く多数の受光センサを並置した場合にあっては、リモートコントローラの赤外線発光部から放射された赤外光を同時に複数の受光センサが受光することがあり、この場合には複数箇所の受光センサが同時に、椅子駆動機構の制御部に赤外光を電気信号に変えて送るときに、相互の電気信号が打ち消し合って極端に衰弱することになるが、本考案においては単一の受光センサから一個の電気信号が送られるのみであるから、このような不都合は起こらないものである。また、従来方法では、各受光センサは夫々向きが異なっていることから、赤外光を同時に複数の受光センサが受光するときには、いずれの受光センサもその受光部の中心が赤外光の中心から外れており、したがって入射する赤外光の光量は少なくなるが、本考案にあっては、どのような角度から赤外光が放射されても、光誘導体に入射しさえすれば、乱反射して直角方向、即ち光誘導体の凹部内を水平方向に走るように進行し、光量を減ずることなく受光部に送られるものである。
【０００９】
また、光誘導体の凹部を断面コ字状となし、更に、断面コ字状の凹部の隅部に彎曲を持たせるようになしてもよい。こうすることにより、凹部内に入射した赤外光は凹部内の光反射材により、より多く乱反射して直角方向、即ち光誘導体の凹部内を水平方向に走るように進行することとなり、効率よく赤外光を受光部に送ることができるものである。
【考案を実施するための最良の形態】
【００１０】
本考案を実施するための最良の形態は、環状又は環状の一部を切除したコード状本体の外面側に凹部を設けて光誘導体とし、該凹部内に全体にわたり光反射材を設けると共に該光誘導体の所定位置に該光誘導体内を伝播してきた光を受けるための一個の受光部を接続してなる受光センサにある。
【００１１】
更に、この光誘導体の凹部を断面コ字形になすと共にその内面全体に光反射材を張設し、該光誘導体の凹部内の隅部に彎曲をもたせてなるものである。
【００１２】
更にまた、座席昇降機構、座席水平回転機構又は背凭れ後傾機構等からなる椅子駆動機構を備え、該椅子駆動機構の動作を赤外線式等のリモートコントローラによって操作するようになした電動椅子において、受光センサとして、環状又は環状の一部を切除したコード状本体の外面側に全周にわたり凹部を設けて光誘導体とし、該凹部内に全体にわたり光反射材を設けると共に該光誘導体の所定位置に該光誘導体内を伝播してきた光を受けるための一個の受光部を接続してなる受光センサを用い、該受光センサを、電動椅子における基台の上部に配設したことを特徴とする電動椅子とした点にある。
【００１３】
上記電動椅子において使用する受光センサとして、光誘導体の凹部を断面コ字形になすと共にその内面全体に光反射材を張設し、更に光誘導体の凹部内の隅部に彎曲をもたせてなるものである。
【実施例１】
【００１４】
以下、本考案の実施例について説明する。
図１は本考案の実施例に係る電動椅子の斜視図、図２は環状の光誘導体からなる第一の実施例における受光センサの平面図、図３は図２中Ａ−Ａ線拡大断面図、図４は椅子駆動機構を制御する制御回路のブロック図である。
【００１５】
図中、１は電動椅子である。また、該電動椅子１は、円盤形の基台２と、昇降台３と、座席４と、背凭れ５と、ヘッドレスト６と、肘掛け７、７と、ふくらはぎ支持部８と、足置きステップ９とからなり、図示しない座席昇降機構と座席水平回転機構と背凭れ後傾機構等からなる椅子駆動機構を備え、該椅子駆動機構の動作を赤外線式等のリモートコントローラによって操作するようになしているものである。以上の構成は、従来の電動椅子と同様である。
【００１６】
１０はリモートコントローラであり、図示しない操作ボタンが押されると、赤外線発光部からその操作ボタンに対応して信号化された赤外光パルスが放射されるようになっている。また、該リモートコントローラ１０は、図４に示す如く、マイクロコンピュータ１１Ａを有する制御部１１、種々の操作ボタン類を有する操作部１２、赤外光を発する発光部１３とからなり、操作部１２の所定の操作ボタンが押されると、操作部１２は制御部１１に操作ボタンに対応する操作信号を出力し、制御部１１は発光部１３から前記操作信号に対応してパルス信号化された赤外光を発光させるものである。そして、発光部１３から放射された赤外光が後記受光センサの受光部に入射すると、電気信号に変換されて後記電動椅子に設けられた椅子駆動機構の制御部に送られるものである。
【００１７】
１４は受光センサであり、電動椅子１における基台２の上部に配設するものである。尚、該受光センサ１４の設置は、基台２から何本か張り出した腕杆に取り付けたり、又は接着や両面粘着テープ等の適宜の手段を採用して行えばよい。また、該受光センサ１４は、環状をなすコード状本体の外面側に全周にわたり凹部１６を設け、該凹部１６内に全体にわたり光反射材１９を張設すると共に、該光誘導体１７の両端部間に、光誘導体１７内を伝播してきた光を受けるための一個の受光部１８を設けている。また、この受光部１８は光誘導体１７内を伝播してきた光を受ける他、直接リモートコントローラ１０からの赤外光を受け得ること勿論である。また、該断面コ字形の光誘導体１７の隅部には彎曲Ｒを持たせている。
【００１８】
該受光センサ１４によると、リモートコントローラ１０の発光部１３から放射された赤外光が、電動椅子１を取り巻くように配設された光誘導体１７に入射すると、それのどの位置から入射しても、光量を減ずることなく、単一の受光部１８に送られるものである。尚、放射された赤外光は、直接光誘導体１７に入射しても、或いは基台２の上面に皿を伏せた形状のカバーがある場合に、そのカバーに反射して入射しても同様に作用する。そして、該受光センサ１４の受光部１８に赤外光が送られると、図４に示す如く、電気信号に変換されてマイクロコンピュータ２０Ａを有する椅子駆動機構の制御部２０に送られるものである。２１は前記椅子駆動機構の制御部２０に電力を供給する電源部、２２は前記椅子駆動機構の制御部２０からの信号に基いて作動する椅子駆動機構である。
【実施例２】
【００１９】
図５は受光センサの第二の実施例における平面図を示すものであって、図２に示した第一の実施例における環状の光誘導体の一部を切除したものである。この構成として試験したところ、第一の実施例と同様の作用、効果を得ることができた。尚、その他の構成は第一実施例と同様であるので、同一の部材には同一の符号を付して詳細な説明は省略する。
【図面の簡単な説明】
【００２０】
【図１】本考案の実施例に係る電動椅子の斜視図である。
【図２】第一の実施例における受光センサの平面図である。
【図３】図２中Ａ−Ａ線拡大断面図である。
【図４】椅子駆動機構を制御する制御部回路のブロック図である。
【図５】第二の実施例における受光センサの平面図である。
【符号の説明】
【００２１】
１  電動椅子
１０  リモートコントローラ
１１  制御部
１１Ａ  マイクロコンピュータ
１２  操作部
１３  発光部
１４  受光センサ
１５  コード状本体
１６  凹部
１７  光誘導体
１８  受光部
１９  光反射材
【図１】
0003131230.tif 000003
【図２】
0003131230.tif 000004
【図３】
0003131230.tif 000005
【図４】
0003131230.tif 000006
【図５】
0003131230.tif 000007